(57)【要約】【課題】正確に光軸が調整された光ピックアップを製造できる光ピックアップ製造装置、及び光ピックアップ製造方法を提供する。【解決手段】光ピックアップ製造装置１００は、光ピックアップ２００のシャシーを固定するシャシー固定機構４０と、シャシー固定機構４０が固定しているシャシーに対する所定の相対位置にアクチュエータを保持し、アクチュエータに取り付けられている対物レンズの光軸を調整するスキュー調整機構５０と、スキュー調整機構５０が調整したアクチュエータとシャシーとの間の複数の接着部に対して同時に電磁波硬化型の接着剤を充填する接着剤充填機構１０と、接着剤充填機構１０が充填した複数の接着部における接着剤に対して電磁波を同時に照射して、前記複数の接着部における接着剤を同時に硬化させるＵＶ照射機構２０と、を備える。【選択図】図１
2009199696.tif 000002
【特許請求の範囲】
【請求項１】
対物レンズが取り付けられているアクチュエータと光ピックアップのシャシーとを複数の接着部で接着して固定する光ピックアップ製造装置であって、
前記光ピックアップのシャシーを支持する支持手段と、
前記支持手段が支持している前記シャシーに対する所定の相対位置に前記アクチュエータを保持する保持手段と、
前記保持手段を移動させて、前記アクチュエータに取り付けられている前記対物レンズの光軸を調整する調整手段と、
前記調整手段が調整した前記対物レンズが取り付けられている前記アクチュエータと前記シャシーとの間の前記複数の接着部に対して同時に電磁波硬化型の接着剤を充填する充填手段と、
前記充填手段が充填した前記複数の接着部における前記接着剤に対して電磁波を同時に照射して、前記複数の接着部における前記接着剤を同時に硬化させる硬化手段と、を備える、
ことを特徴とする光ピックアップ製造装置。
【請求項２】
前記複数の接着部は、前記シャシー上に左右対称に配置される、
ことを特徴とする請求項１に記載の光ピックアップ製造装置。
【請求項３】
移動が可能な摺動台をさらに備え、
前記硬化手段及び前記充填手段とは、前記摺動台上に配置され、
前記摺動台は、前記充填手段が前記接着剤を充填できる位置又は前記硬化手段が前記接着剤を硬化させることができる位置に移動する、
ことを特徴とする請求項１又は２に記載の光ピックアップ製造装置。
【請求項４】
前記保持手段及び前記調整手段は、前記摺動台とは別の架台に配置される、
ことを特徴とする請求項３に記載の光ピックアップ製造装置。
【請求項５】
対物レンズが取り付けられているアクチュエータと光ピックアップのシャシーとを複数の接着部で接着して固定する光ピックアップ製造装置の光ピックアップ製造方法であって、
前記光ピックアップのシャシーを支持する支持ステップと、
前記支持手段が支持している前記シャシーに対する所定の相対位置に前記アクチュエータを保持する保持ステップと、
前記保持ステップで保持された前記アクチュエータを移動させて、前記アクチュエータに取り付けられている前記対物レンズの光軸を調整する調整ステップと、
前記調整ステップで調整した前記対物レンズが取り付けられている前記アクチュエータと前記シャシーとの間の前記複数の接着部に対して同時に電磁波硬化型の接着剤を充填する充填ステップと、
前記充填ステップで充填した前記複数の接着部における前記接着剤に対して電磁波を同時に照射して、前記複数の接着部における前記接着剤を同時に硬化させる硬化ステップと、を備える、
ことを特徴とする光ピックアップ製造方法。
【発明の詳細な説明】
【技術分野】
【０００１】
本発明は、光軸を調整しながら光ピックアップを製造する光ピックアップ製造装置、及び光ピックアップ製造方法に関する。
【背景技術】
【０００２】
現在、光軸を調整して、対物レンズが取り付けられているアクチュエータと光ピックアップのシャシーとを複数の接着部で接着して固定する光ピックアップ製造装置が実用化されている（例えば、特許文献１参照）。
【特許文献１】特開平１０−１０６０２１号公報
【発明の開示】
【発明が解決しようとする課題】
【０００３】
しかし、従来の光ピックアップ製造装置は、複数の接着部に接着剤を順番に充填し、充填した複数の接着部の接着剤を順番に硬化させていた。そのため、時間が掛かるという問題があった。また、硬化の際の時間差のために、先に塗布した接着剤は接着剤の広がりにより有効面積が大きくなることにより、接着部間での接着強度が異なってしまい、硬化した後、シャシーとアクチュエータの相対的な位置がずれてしまい、光軸がずれるという問題があった。
【０００４】
本発明は、上記問題点に鑑みてなされたもので、正確に光軸が調整された光ピックアップを製造できる光ピックアップ製造装置、及び光ピックアップ製造方法を提供することを目的とする。
【課題を解決するための手段】
【０００５】
上記目的を達成するために、本発明の第１の観点に係る光ピックアップ製造装置は、
対物レンズが取り付けられているアクチュエータと光ピックアップのシャシーとを複数の接着部で接着して固定する光ピックアップ製造装置であって、
前記光ピックアップのシャシーを支持する支持手段と、
前記支持手段が支持している前記シャシーに対する所定の相対位置に前記アクチュエータを保持する保持手段と、
前記保持手段を移動させて、前記アクチュエータに取り付けられている前記対物レンズの光軸を調整する調整手段と、
前記調整手段が調整した前記対物レンズが取り付けられている前記アクチュエータと前記シャシーとの間の前記複数の接着部に対して同時に電磁波硬化型の接着剤を充填する充填手段と、
前記充填手段が充填した前記複数の接着部における前記接着剤に対して電磁波を同時に照射して、前記複数の接着部における前記接着剤を同時に硬化させる硬化手段と、を備える、
ことを特徴とする。
【０００６】
前記複数の接着部は、前記シャシー上に左右対称に配置されてもよい。
【０００７】
例えば、移動が可能な摺動台をさらに備え、
前記硬化手段及び前記充填手段とは、前記摺動台上に配置され、
前記摺動台は、前記充填手段が前記接着剤を充填できる位置又は前記硬化手段が前記接着剤を硬化させることができる位置に移動してもよい。
【０００８】
例えば、前記保持手段及び前記調整手段は、前記摺動台とは別の架台に配置されてもよい。
【０００９】
本発明の第２の観点に係る光ピックアップ製造方法は、
対物レンズが取り付けられているアクチュエータと光ピックアップのシャシーとを複数の接着部で接着して固定する光ピックアップ製造装置の光ピックアップ製造方法であって、
前記光ピックアップのシャシーを支持する支持ステップと、
前記支持手段が支持している前記シャシーに対する所定の相対位置に前記アクチュエータを保持する保持ステップと、
前記保持ステップで保持された前記アクチュエータを移動させて、前記アクチュエータに取り付けられている前記対物レンズの光軸を調整する調整ステップと、
前記調整ステップで調整した前記対物レンズが取り付けられている前記アクチュエータと前記シャシーとの間の前記複数の接着部に対して同時に電磁波硬化型の接着剤を充填する充填ステップと、
前記充填ステップで充填した前記複数の接着部における前記接着剤に対して電磁波を同時に照射して、前記複数の接着部における前記接着剤を同時に硬化させる硬化ステップと、を備える、
ことを特徴とする。
【発明の効果】
【００１０】
本発明による光ピックアップ製造装置は、正確に光軸が調整された光ピックアップを製造できる。
【発明を実施するための最良の形態】
【００１１】
以下、本発明の実施形態に係る光ピックアップ製造装置１００について説明する。光ピックアップ製造装置１００は、対物レンズ２２１を有するアクチュエータ２２０と光ピックアップ２００のシャシー２１０とを光軸を調整しながら接着して固定する。
【００１２】
光ピックアップ製造装置１００は、図１に示すように、接着剤充填機構１０と、ＵＶ照射機構２０と、摺動台３０と、シャシー固定機構４０と、スキュー調整機構５０と、光ディスク動作機構６０とを備える。
【００１３】
接着剤充填機構１０は、摺動台３０の上に配設され、ＵＶ硬化型の接着剤をアクチュエータ２２０とシャシー２１０との間の所定の箇所に充填する。
接着剤充填機構１０は、図１〜５に示すように、接着剤吐出部１１ａ，ｂと、チューブ１２ａ，ｂと、先端ノズル部１３ａ，ｂと、上下摺動部１４と、を備える。ただし、チューブ１２ｂと先端ノズル部１３ｂについては、省略のため、図不掲載である。
【００１４】
接着剤吐出部１１ａ，ｂは、それぞれ、チューブ１２ａ，ｂより供給されたＵＶ硬化型接着剤を先端ノズル部１３ａ，ｂを介して吐出する。
【００１５】
チューブ１２ａ，ｂは、それぞれ、図示しないポンプ等によって、図示しない供給源からＵＶ硬化型接着剤を接着剤吐出部１１ａ，ｂに供給する。
【００１６】
先端ノズル部１３ａ，ｂは、それぞれ、接着剤吐出部１１ａ，ｂによって吐出されるＵＶ硬化型接着剤を絞って、光ピックアップ２００のシャシー２１０とアクチュエータ２２０との間の接着孔に充填する。
【００１７】
上下摺動部１４は、摺動部３０に設置され、接着剤吐出部１１ａ，ｂ及び先端ノズル部１３ａ，ｂを上下方向に駆動させる。上下摺動部１４は、図３，４に示すように、接着剤吐出部１１ａ，ｂ及び先端ノズル部１３ａ，ｂを下方向に駆動させ、ＵＶ硬化型接着剤をシャシー２１０とアクチュエータ２２０との間の接着孔に充填できるようにする。
【００１８】
ＵＶ照射機構２０は、摺動台３０の上に配設され、アクチュエータ２２０とシャシー２１０との間の所定の箇所に充填されたＵＶ硬化型接着剤に対して紫外光を照射して硬化させる。
ＵＶ照射機構２０は、図１〜５に示すように、ダイオード駆動部２１ａ，ｂと、発光ダイオード２２ａ，ｂと、ケーブル２３ａ，ｂと、を備える。ただし、発光ダイオード２２ｂとケーブル２３ｂについては、省略のため、図不掲載である。
【００１９】
ダイオード駆動部２１ａ，ｂは、それぞれ、ケーブル２３ａ，ｂより供給された電力を適当に処理して発光ダイオード２２ａ，ｂに供給する。
【００２０】
発光ダイオード２２ａ，ｂは、それぞれ、ダイオード駆動部２１ａ，ｂより供給された電力に基づいて、紫外光を照射する。
【００２１】
ケーブル２３ａ，ｂは、それぞれ、図示しない電源より電力を発光ダイオード２２ａ，ｂに供給する。
【００２２】
摺動台３０は、図２，４，５に示すように、架台７１上をモータによって駆動する。摺動台３０は、例えば、図４に示すような接着剤充填機構１０が接着剤を充填できる位置、又は、図５，９に示すようなＵＶ照射機構２０が接着剤を硬化させることができる位置に移動する。
【００２３】
シャシー固定機構４０は、接着剤充填機構１０が接着剤を充填することができ、且つ、ＵＶ照射機構２０がその接着剤に対して紫外光を照射することができる位置に光ピックアップ２００のシャシー２１０を固定する。
シャシー固定機構４０は、図２に示すように、ピックアップ支持部４１ａ，ｂを備える。図６に示すように、ピックアップ支持部４１ａがシャシー２１０の貫通孔２１１に挿入され、ピックアップ支持部４１ｂがシャシー２１０の貫通孔２１２，２１３に挿入されることによって、シャシー固定機構４０は、シャシー２１０を固定する。
【００２４】
スキュー調整機構５０は、シャシー固定機構４０の真下に配設され、シャシー固定機構４０が固定したシャシー２１０に対する所定の相対位置（図６，７参照）にアクチュエータ２２０を保持する。そして、図７（ｂ）に示すように、アクチュエータ２２０を傾けて、光ピックアップ２００の対物レンズ２２１の光軸を調整する。
スキュー調整機構５０は、図７に示すように、保持部５１ａ，ｂと、調整部５２と、基部５３とを備える。
【００２５】
保持部５１ａ，ｂは、図６，７に示すように、アクチュエータ２２０を、その基部２２２を介して保持する。
【００２６】
調整部５２は、図７（ａ）（ｂ）に示すように、基部５３上で回動して、アクチュエータ２２０の対物レンズ２２１の向きを調整し、光ピックアップ２００の光軸を調整する。なお、その光軸の調整は、光ディスク動作機構６０が動作している状態で、実際にシャシー２１０が備えるレーザ光源（不図示）にレーザを発振させ、光ディスク動作機構の光ディスク６１に照射し、その反射光を、シャシー２１０が備えるフォトダイオード（不図示）に受光させて変換させた反射信号に基づいて行われる。
【００２７】
基部５３は、シャシー固定機構４０の真下に固定される。
【００２８】
光ディスク動作機構６０は、光ディスク６１を回転駆動させ、スキュー調整部５０が光ピックアップ２００の光軸を調整する際に使用される。
光ディスク動作機構６０は、図３に示すように、光ディスク６１と、光ディスク摺動部６２と、回転シャフト６３と、光ディスク回転駆動部６４と、架台６５とを備える。
【００２９】
光ディスク６１は、ＣＤ（Compact Disc）規格、ＤＶＤ（Digital Versatile Disc）規格、ＢＤ（Blu-ray）規格等の光ディスク媒体である。
【００３０】
光ディスク摺動部６２は、図１，３に示すように、架台６５上に配置される。そして、光ピックアップ２００の光軸の調整を行う場合には、光ディスク摺動部６２は、図１に示すように、光ディスク６１が光ピックアップ２００の対物レンズ２２１の真上に配置されるように架台６５上を移動する。それ以外の場合には、光ディスク摺動部６２は、図３に示すように、光ディスク６１が対物レンズ２２１の真上から退避するように架台６５上を移動する。
【００３１】
回転シャフト６３は、光ディスク回転駆動部６４のモータシャフトであり、光ディスク６１を保持して回転させる。
【００３２】
光ディスク回転駆動部６４は、モータを備え、光ディスク摺動部６２に固定される。そして、光ディスク回転駆動部６４は、そのモータを回転させることにより、回転シャフト６３を介して光ディスク６１を回転駆動させる。
【００３３】
架台６５は、架台７１と架台７２との中間に配設される。
【００３４】
次に、光ピックアップ２００を説明する。
光ピックアップ２００は、シャシー２１０と、アクチュエータ２２０とを備える。なお、シャシー２１０とアクチュエータ２２０とは、光ピックアップ製造装置１００によって、光軸を調整された後、接着して固定される。
【００３５】
シャシー２１０は、貫通孔２１１，２１２，２１３と、アクチュエータ設置部２１４と、接着部２１５ａ，ｂとを備える。
【００３６】
貫通孔２１１には、図６に示すように、ピックアップ支持部４１ａが挿入される。貫通孔２１２，２１３には、ピックアップ支持部４１ｂが挿入される。
【００３７】
アクチュエータ設置部２１４の内部には、保持部５１ａ，ｂによってアクチュエータ２２０が保持される。その後、光ピックアップ製造装置１００は、スキュー調整機構５０と光ディスク動作機構６０とを用いて光軸の調整を行い、接着剤充填機構１０を用いてアクチュエータ２２０とシャシー２１０との間の接着孔２３０ａ，ｂにＵＶ硬化型接着剤を充填し、図９に示すように、ＵＶ照射機構２０を用いて紫外光を照射して、充填された接着剤Ｂａを硬化させ、アクチュエータ２２０とシャシー２１０とを接着する。
【００３８】
接着部２１５ａ，ｂは、それぞれ、図８（ａ）（ｂ）に示すように、アクチュエータ２２０の基部２２２が備える接着部２２７ａ，ｂと合わせることによって接着孔２３０ａ，ｂを形成する。
【００３９】
アクチュエータ２２０は、電流を供給されることによって対物レンズ２２１をフォーカス方向とトラッキング方向とに駆動させるためのものである。
アクチュエータ２２０は、対物レンズ２２１と、基部２２２と、レンズフォルダ２２３と、支持ワイヤ２２４ａ，ｂと、マグネット２２５，２２６とを備える。
【００４０】
対物レンズ２２１は、レンズフォルダ２２３内に配設される。また、対物レンズ２２１は、アクチュエータ２２０によってフォーカス方向とトラッキング方向とに駆動し、光ディスク上の焦点の位置を調節するためのものである。
【００４１】
レンズフォルダ２２３は、内部に対物レンズ２２１を配設し、図示しないコイル等を備える。また、レンズフォルダ２２３は、支持ワイヤ２２４ａ，ｂを介して基部２２２に支持される。
【００４２】
基部２２２は、支持ワイヤ２２４ａ，ｂを介してレンズフォルダ２２３を支持する。また、基部２２２は、マグネット２２５，２２６をレンズフォルダ２２３の前後に配設する。また、基部２２２は、両側面に接着部２２７ａ，ｂを備える。また、基部２２２は、両側面を保持部５１ａ，ｂによって保持される。基部２２２が保持部５１ａ，ｂによって保持されることによって、アクチュエータ２２０は、アクチュエータ設置部２１４の内部に保持される。
【００４３】
マグネット２２５，２２６は、レンズフォルダ２２３が備えるコイルと作用して対物レンズ２２１をフォーカス方向とトラッキング方向とに移動させるためのものである。
【００４４】
以下、上記構成の光ピックアップ製造装置１００の動作を説明する。
【００４５】
簡単に説明すると、先ず、光ピックアップ製造装置１００は、図６に示すように、シャシー２１０をシャシー固定機構４０に固定し、アクチュエータ２２０をスキュー調整機構５０の保持部５１ａ，ｂで保持する。
【００４６】
次に、光ピックアップ製造装置１００は、図１に示すように、光ディスク動作機構６０を動作させて、光ディスク６１を光ピックアップ２００の真上に移動させる。そして、光ピックアップ製造装置１００は、図７に示すように、スキュー調整機構５０と光ディスク動作機構６０とを用いて光軸の調整を行い、調整が終了したら、光ディスク動作機構６０を動作させて、光ディスク６１を光ピックアップ２００の真上から退避させる。
【００４７】
そして、光ピックアップ製造装置１００は、図３，４に示すように、摺動台３０と上下摺動部１４とを動作させ、先端ノズル部１３ａ，ｂをそれぞれ、アクチュエータ２２０とシャシー２１０との間の接着孔２３０ａ，ｂの真上に移動させる。光ピックアップ製造装置１００は、図８（ｂ）に示すように、接着剤充填機構１０を用いて、光軸の調整がされたアクチュエータ２２０とシャシー２１０との間の接着孔２３０ａ，ｂにＵＶ硬化型接着剤を充填する。
【００４８】
そして、光ピックアップ製造装置１００は、図５、６に示すように、摺動台３０を移動させ、発光ダイオード２２ａ，ｂをそれぞれ、アクチュエータ２２０とシャシー２１０との間の接着孔２３０ａ，ｂの真上に移動させる。その後、光ピックアップ製造装置１００は、図９に示すように、光軸の調整がされた状態で、ＵＶ照射機構２０を用いて一定時間、紫外光を照射して、充填された接着剤Ｂａを硬化させ、アクチュエータ２２０とシャシー２１０とを接着して固定する。
【００４９】
このようにして、光ピックアップ製造装置１００は、複数の接着剤の充填箇所において、同時に接着剤を充填し、同時に接着剤を硬化させることができる。
【００５０】
次に、本発明の実施形態に係る光ピックアップ製造装置１００が行う光軸調整と接着固定の処理を、図１０のフローチャートを参照して詳細に説明する。
【００５１】
先ず、光ピックアップ製造装置１００は、ユーザによって、シャシー２１０をシャシー固定機構４０に固定する（ステップＳ１０１）。
【００５２】
次に、光ピックアップ製造装置１００は、ユーザによって、アクチュエータ２２０をスキュー調整機構５０の保持部５１ａ，ｂで保持する。
【００５３】
光ピックアップ製造装置１００は、光ディスク動作機構６０を動作させて、光ディスク６１を光ピックアップ２００の真上に移動させ、光ディスク６１の回転を開始する（ステップＳ１０３）。
【００５４】
光ピックアップ製造装置１００は、ユーザによって、又は、図示しない制御部が制御して、スキュー調整機構５０と光ディスク動作機構６０とを用いて光軸の調整を行う（ステップＳ１０４）。その後、光軸の調整がなされた状態を保持する。
【００５５】
光ピックアップ製造装置１００は、光ディスク動作機構６０を動作させて、光ディスク６１を光ピックアップ２００の真上から退避させる（ステップＳ１０５）。
【００５６】
光ピックアップ製造装置１００は、摺動台３０と上下摺動部１４とを移動させ、先端ノズル部１３ａ，ｂをそれぞれ、アクチュエータ２２０とシャシー２１０との間の接着孔２３０ａ，ｂの真上に移動させる（ステップＳ１０８）。
【００５７】
光ピックアップ製造装置１００は、光軸の調整がなされた状態で、接着剤充填機構１０を用いてアクチュエータ２２０とシャシー２１０との間の接着孔２３０ａ，ｂにＵＶ硬化型接着剤を充填する（ステップＳ１０７）。
【００５８】
光ピックアップ製造装置１００は、摺動台３０を移動させ、発光ダイオード２２ａ，ｂをそれぞれ、アクチュエータ２２０とシャシー２１０との間の接着孔２３０ａ，ｂの真上に移動させる（ステップＳ１０８）。
【００５９】
光ピックアップ製造装置１００は、光軸の調整がなされた状態で、ＵＶ照射機構２０を用いて一定時間、紫外光を照射して、充填された接着剤Ｂａを硬化させ、アクチュエータ２２０とシャシー２１０とを接着して固定する（ステップＳ１０９）。
【００６０】
光ピックアップ製造装置１００は、摺動台３０を移動させ、接着剤充填機構１０とＵＶ照射機構２０とを光ピックアップ２００の真上から退避させて、処理を終了する。
【００６１】
このようにして、光ピックアップ製造装置１００は、複数の接着剤の充填箇所において、同時に接着剤を充填し、同時に接着剤を硬化させることができる。
【００６２】
なお、本発明は上記実施形態に限定されず、種々の応用及び変形が可能である。
【００６３】
上記実施形態においては、ＵＶ硬化型接着剤を充填して、その接着剤に対して紫外光を照射したが、他の電磁波により硬化する接着剤を充填して、その接着剤に対して、当該他の電磁波を照射するようにしてもよい。また、熱硬化型の接着剤を充填して、赤外線を照射するようにしてもよい。
また、上記実施形態においては、光ピックアップは、左右対称の二箇所の接着剤充填箇所を備え、同時に二箇所に接着剤を充填して硬化させたが、左右対称の二以上の接着剤充填箇所を備えるようにして、同時に二以上の箇所に接着剤を充填して硬化させるようにしてもよい。
【００６４】
摺動台３０上には、接着剤充填機構１０とＵＶ照射機構２０とが固定されているので、接着剤充填機構１０とＵＶ照射機構２０との間隔を短くできる。このことによって、接着剤塗布から硬化までの時間を短くでき、正確な塗布照射を行うことができる。
【００６５】
保持部５１ａ、ｂ及び調整部５２は、摺動台３０とは別の架台に配置されるため、調整部５２の動作による振動が摺動台３０に伝わらず、摺動台３０上に設けられている接着剤吐出部１１a、ｂによる接着剤吐出動作を調整部５２による調整動作と同時に行った場合でも、精度の良い接着剤塗布を行うことができる。
【００６６】
また、その他、具体的な細部構成等についても適宜変更可能である。
【図面の簡単な説明】
【００６７】
【図１】本発明の実施形態に係る光ピックアップ製造装置の正面図である。
【図２】本発明の実施形態に係る光ピックアップ製造装置の側面図である。
【図３】接着剤充填機構が動作しているときの光ピックアップ製造装置の正面図である。
【図４】接着剤充填機構が動作しているときの光ピックアップ製造装置の側面図である。
【図５】ＵＶ照射機構が動作しているときの光ピックアップ製造装置の側面図である。
【図６】アクチュエータとシャシーとから構成される光ピックアップの正面図である。
【図７】（ａ）スキュー調整機構とシャシー及びアクチュエータとの関係を説明するための図６のＡ−Ａ線の矢視断面図である。（ｂ）光軸の調整を行った場合の図６のＡ−Ａ線の矢視断面図である。
【図８】（ａ）シャシーとアクチュエータとによって形成される接着孔を説明するための図である。（ｂ）図８（ａ）におけるＢ−Ｂ線の矢視断面図である。
【図９】ＵＶ照射機構によるシャシーとアクチュエータとの間の接着孔内の接着剤に対するＵＶの照射を説明するための断面図である。
【図１０】光軸調整と接着固定との処理を説明するためのフローチャートである。
【符号の説明】
【００６８】
１０          接着剤充填機構
１１ａ，ｂ    接着剤吐出部
１２ａ，ｂ    チューブ
１３ａ，ｂ    先端ノズル部
１４          上下摺動部
２０          ＵＶ照射機構
２１ａ，ｂ    ダイオード駆動部
２２ａ，ｂ    発光ダイオード
２３ａ，ｂ    ケーブル
３０          摺動台
４０          シャシー固定機構
４１ａ，ｂ    ピックアップ支持部
５０          スキュー調整機構
５１ａ，ｂ    保持部
５２          調整部
５３          基部
６０          光ディスク動作機構
６１          光ディスク
６２          光ディスク摺動部
６３          回転シャフト
６４          光ディスク回転駆動部
６５，７１，７２    架台
２００        光ピックアップ
２１０        シャシー
２１１〜２１３  貫通孔
２１４        アクチュエータ設置部
２１５ａ，ｂ  接着部
２２０        アクチュエータ
２２１        対物レンズ
２２２        基部
２２３        レンズフォルダ
２２４ａ，ｂ  支持ワイヤ
２２５，２２６    マグネット
【図１】
2009199696.tif 000003
【図２】
2009199696.tif 000004
【図３】
2009199696.tif 000005
【図４】
2009199696.tif 000006
【図５】
2009199696.tif 000007
【図６】
2009199696.tif 000008
【図７】
2009199696.tif 000009
【図８】
2009199696.tif 000010
【図９】
2009199696.tif 000011
【図１０】
2009199696.tif 000012